(57)【要約】      （修正有）【課題】高電圧電極の絶縁を十分にすることができ、刺激装置の効率を損なうことのない、携帯型圧電鍼治療刺激装置を提供する。【解決手段】電極を伴う圧電変換器１８とバネ系を伴うインパクトハンマー２３が、接触ピン９と一緒に、外部ケースにぴったりとはめ込まれるように設計された、共通の電気絶縁性の内部ケース８内に取り付けられており、これにより圧電変換器１８の第２電極２０と外部ケースの接点リングとの電気接続が、内部ケース８を通って突き出て内部ケース８と外部ケースの間に延在する板バネ接点１０を含む。【選択図】図３
0003106386.tif 000002
【実用新案登録請求の範囲】
【請求項１】
ペン状で、一端に作動装置ボタン（５）を備え、他端には鍼治療域の皮膚に接触させるための端部表面（３）から引っ込んでいる接触ピン（９）を備え、当該接触ピンは圧電変換器（１８）の第１電極（１９）に接続されており、前記圧電変換器の第２電極（２０）は一方では手接点（７）と電気接続されており、他方では低エネルギー含量で高電圧の電気的な鎮痛パルスを発生させるために前記作動装置ボタン（５）により操作されるバネを備えたインパクトハンマー（２３）によって機械的に操作可能であるような、十分な電気絶縁性の外部ケース（１）を備え、前記圧電変換器（１８）が、前記第１および第２電極（１９，２０）と、作動装置圧縮バネ（２５）と戻しバネ（２７）を有するバネ系を伴う前記インパクトハンマー（２３）と共に、前記接触ピン（９）と一緒に、前記外部ケース（１）にぴったりとはめ込まれるように設計された、共通の電気絶縁性の内部ケース（８）内に取り付けられており、前記接触ピン（９）は、比較的短く、前記内部ケース（８）の一端から飛び出た状態で支持されており、前記内部ケース（８）の他端には長手方向に移動可能なインパクトハンマー作動装置（１６）が取り付けられており、前記作動装置は前記作動装置ボタン（５）と機械的に接続されており、これにより前記圧電変換器（１８）の前記第２電極（２０）と前記手接点（７）との電気接続が板バネ接点（１０）を含み、前記板バネ接点（１０）は、前記内部ケース（８）を通って突き出て前記内部ケース（８）と前記外部ケース（１）の間に延在し、接点リングとして設計される前記手接点（７）との接触を確立することを特徴とする、携帯型圧電鍼治療刺激装置。
【請求項２】
前記板バネ接点（１０）は、前記外部ケース（１）の端部材（１３）の自由端の凹み（１２）に固定される曲げ端部（１１）を備え、前記端部材（１３）は前記接点リング（７）の支持体であることを特徴とする、請求項１に記載の携帯型圧電鍼治療刺激装置。
【請求項３】
前記外部ケース（１）及び前記接点リング（７）の延長に配置され、前記作動装置ボタン（５）を親指で操作する際の使用者の人差し指の関節の支持体としての突起アバットメント（６）を有する先端部材（４）に前記作動装置ボタン（５）を備えることを特徴とする、請求項１または２に記載の携帯型圧電鍼治療刺激装置。
【考案の詳細な説明】
【技術分野】
【０００１】
本考案は、携帯型圧電鍼治療刺激装置に係るものであって、前記刺激装置は、ペン状で、一端に作動装置ボタンを備え、他端には、鍼治療域の皮膚に接触させるための端部表面から引っ込んでいる接触ピンを備える、十分な電気絶縁性の外部ケースを有し、前記接触ピンは、圧電変換器の第１電極に接続されており、前記圧電変換器の第２電極は、一方では手接点（hand connect）と電気接続されており、他方では低エネルギー含量で高電圧の電気的な鎮痛パルスを発生させるために前記作動装置ボタンにより操作される、バネを備えたインパクトハンマーによって機械的に操作可能となっている。
【背景技術】
【０００２】
圧電変換器と、第１電極に接続された比較的長い接触ピンが、電気伝導性の金属製外部ケースと端部表面が皮膚と接触するように設計された同様な金属製の治療ヘッドにそれぞれ囲まれているようなそれぞれの電気絶縁性のケースに配置されているような、この種の鍼治療刺激装置がドイツ特許第40 26 820 A1号公報により既知となっている。作動装置圧縮バネを伴うインパクトハンマーは比較的細長い作動装置ボタンの穴に収められており、作動装置ボタン上の凹んだ肩面と、作動装置ボタンと絶縁ケースの間の圧電変換器の周りに配置された中間部分との間に、戻しバネが取り付けられている。
【考案の開示】
【考案が解決しようとする課題】
【０００３】
この既知の刺激装置における非常にたくさんのかなり小さな個々の部品はその製造と実装を複雑なものにしており、電気伝導性の外部ケースと治療ヘッドの設計は圧電変換器の高電圧電極の絶縁をそれほど十分にすることができず、刺激装置の効率を損なうことがある。
【課題を解決するための手段】
【０００４】
これらの欠点は、以下のような特徴を有する刺激装置の設計による本考案によって改善される。つまり、圧電変換器が、前記第１および第２電極と、作動装置圧縮バネと戻しバネを有するバネ系を伴う前記インパクトハンマーと共に、前記接触ピンと一緒に、前記外部ケースにぴったりとはめ込まれるように設計された、共通の電気絶縁性の内部ケース内に取り付けられており、前記接触ピンは、比較的短く、前記内部ケースの一端から飛び出た状態で支持されており、前記内部ケースの他端には長手方向に移動可能なインパクトハンマー作動装置が取り付けられており、前記作動装置は前記作動装置ボタンと機械的に接続されており、これにより前記圧電変換器の前記第２電極と前記手接点との電気接続が板バネ接点を含み、前記板バネ接点は、前記内部ケースを通って突き出て前記内部ケースと前記外部ケースの間に延在し、接点リングとして設計される前記手接点との接触を確立することを特徴とする。
【０００５】
好ましくは、前記板バネ接点は、前記外部ケースの端部材の自由端の凹みに固定される曲げ端部を備え、前記端部材は接点リングの支持体である。このように、板バネ接点の曲げ端部の寸法を設計することによって、接触ピンの末端と皮膚に接触させる刺激装置の端部とのスパーク距離を的確に固定することが、簡単に可能となる。
【０００６】
携帯型刺激装置は親指で前記作動装置ボタンを操作するように設計されている。そのため、前記外部ケース及び前記接点リングの延長に設置され、前記作動装置ボタンを親指で操作する際の使用者の人差し指の関節の支持体としての突起アバットメント（protruding abutment）を有する先端部材に前記作動装置ボタンを備えることにより、使用者の人差し指との接触を確立するように外部接点リングの的確な位置合わせが可能となる。
【考案を実施するための最良の形態】
【０００７】
添付図面を参照しながら、以下に本考案を詳細に説明する。
【０００８】
図１及び２は、本考案による圧電鍼治療刺激装置の実施形態の、実装状態及びその主な構成の分解図をそれぞれ示している。
【０００９】
図３は刺激装置の内部ケースに組み込まれている主な構成部品を、より図解的に示している。
【００１０】
外側から見ると、図１に示すように、携帯型鍼治療刺激装置は、鍼治療点の皮膚に接触するように設計された治療ヘッド３に接続されているほぼ錐形の端部２を有する、例えばナイロンなどの適当なプラスティック材の電気絶縁性の外部ケース１を備える。
【００１１】
外部ケース１の延長の他端には、作動装置ボタンが取り付けられた、同様に電気絶縁性の先端部材４を備えられている。刺激装置は親指で作動装置ボタンを操作するように設計されているので、先端部材４は、使用中に人差し指の関節に対向するアバットメント（abutment）に配置されている突起アバットメント６と一体に設計されており、その結果、先端部材４と外部ケース１との間に配置された接点リング７は使用者の人差し指と係合するように位置付けられている。
【００１２】
図３を参照にして以下に説明をする刺激装置の動的な構成は、本考案によれば、図２に示すように、一端から接触ピン９が比較的短く飛び出している電気絶縁性の内部ケース８の中に組み込まれており、前記接触ピン９はスパークフォーメーション（spark formation）により刺激装置が発生する鎮痛パルスを伝えるようになっている。
【００１３】
内部ケース８は外部ケース１にぴったりとはめ込まれるように設計されており、接触ピン９の末端は明確なスパーク距離を決定する治療ヘッド３により形成される皮膚面（skin abutment）よりも若干引っ込んでいる。
【００１４】
図２に同様に示すように、刺激装置の接地電極と接点リング７との電気接続は、内部ケース８を通って内部ケースと外部ケース１との間に延在する板バネ接点１０により確立される。板バネ接点１０の末端は曲がり部１１となっており、外部ケース１の中で内部ケース８の位置を固定するために、接点リング７を支持するように設計された外部ケース１の端部１３の縁の凹み１２に係合するようになっている。板バネ接点１０の曲がり末端部１１は、端部材１３の中に挿入されるようになっている先端部材４の端部材１５の突起カム１４によって、凹み１２に支持される。
【００１５】
内部ケース８の接触ピン９に対する他端には、長手方向に移動可能な作動装置１６が、圧電変換器の機械的作動のために備えられている。実装状態において、作動装置１６は、先端部材４の中に備えられているプロフィールド圧力部材１７（profiled pressure member）を通じて作動装置ボタン５により作動する。
【００１６】
内部ケース８に備えられる刺激装置の動的な構成は、図３に示すように、内部ケース８の一端から飛び出ている接触ピン９に接続されている第１電極１９を有する圧電変換器１８と、板バネ接点１０の一端に設けられている接点リング２１と電気接続している第２電極２０、及び、変換器１８の機械的作動のために設計された作動機構を備えている。前記機構は、内部ケース８の他端から突き出ていて、横方向ブロックピン２４及び作動装置圧縮バネ２５を有するインパクトハンマー２３のためのガイド２２と、変換器１８に対してガイド２２とホルダー２６との間に位置する戻しバネ２７と、を有するような、長手方向に移動可能な作動装置１６を備えている。
【００１７】
図３に示されている構成の機械的機能は、それ自体は既知のものであり、以下のような効果を有する。すなわち、作動装置ボタン５を操作することにより生じる内部ケース８内の作動装置１６の長手方向の変位により、まず作動装置圧縮バネ２５が縮められて、バネは、大きな力によって作動装置が移動することでインパクトハンマー２６が開放されて、インパクトハンマーを変換器１８の第２電極２０の方へ突き出す。変換器１８の瞬間的な圧縮の結果、高電圧で比較的低エネルギー含量の電気的な鎮痛パルスが、例えば１５，０００Ｖ、６μＡで、発生する。
【００１８】
刺激装置の鎮痛効果は、それ自体は既知であるように、その場所での鍼治療点に上記のように発生する、鎮痛のための、パルスのスパーク伝送により、体自身のエンドルフィン鎮痛システムの作動が生じるであろう、という点にある。
【図面の簡単な説明】
【００１９】
【図１】本考案による圧電鍼治療刺激装置の実施形態の実装状態を示す図。
【図２】本考案による圧電鍼治療刺激装置の実施形態の主な構成の分解図。
【図３】刺激装置の内部ケースに組み込まれた主な構成部品をより図解的に示す図。
【符号の説明】
【００２０】
１    外部ケース
３    端部表面
４    先端部材
５    作動装置ボタン
６    突起アバットメント
７    手接点
８    内部ケース
９    接触ピン
１０  板バネ接点
１１  曲げ端部
１２  凹み
１３  端部材
１６  インパクトハンマー作動装置
１８  圧電変換器
１９  第１電極
２０  第２電極
２３  インパクトハンマー
２５  作動装置圧縮バネ
２７  戻しバネ
【図１】
0003106386.tif 000003
【図２】
0003106386.tif 000004
【図３】
0003106386.tif 000005